(57)【要約】【課題】ユーザーの滞在エリアに基づいて、適切な情報を提示可能な情報処理装置、システム及びプログラムを提供すること。【解決手段】本発明によれば、携帯端末とネットワークを介して通信可能に構成される情報処理装置であって、滞在エリア推定部及びカード配信部を備え、前記滞在エリア推定部は、前記携帯端末の滞在エリアを推定可能に構成され、前記カード配信部は、前記推定された前記滞在エリアに対応する電子カードを前記携帯端末に配信可能に構成され、前記電子カードは、階層構造を有するカード情報から選択されるものであり、且つ、前記電子カード毎に階層及び配信エリアが対応付けられている、情報処理装置が提供される。【選択図】図１
2020071618.tif 000002
【特許請求の範囲】
【請求項１】
携帯端末とネットワークを介して通信可能に構成される情報処理装置であって、
滞在エリア推定部及びカード配信部を備え、
前記滞在エリア推定部は、前記携帯端末の滞在エリアを推定可能に構成され、
前記カード配信部は、前記推定された前記滞在エリアに対応する電子カードを前記携帯端末に配信可能に構成され、
前記電子カードは、階層構造を有するカード情報から選択されるものであり、且つ、前記電子カード毎に階層及び配信エリアが対応付けられている、
情報処理装置。
【請求項２】
前記階層は、エリアの大きさに応じて決定された階層である、
請求項１に記載の情報処理装置。
【請求項３】
前記カード配信部は、前記携帯端末の滞在エリアが変化した場合に、前記変化後の滞在エリアに対応する電子カードを前記携帯端末に配信可能に構成される、
請求項１又は請求項２に記載の情報処理装置。
【請求項４】
移動状態推定部を備え、
前記移動状態推定部は、前記携帯端末の位置情報の変化及び前記携帯端末から取得した関連情報の少なくとも一方に基づいて、前記携帯端末の移動状態を推定可能に構成され、
前記カード配信部は、前記推定された移動状態に基づいて、前記電子カードを前記携帯端末に配信可能に構成される、
請求項１〜請求項３の何れか１つに記載の情報処理装置。
【請求項５】
カード検索部を備え、
前記カード検索部は、前記推定された移動状態に基づいて、前記携帯端末に配信すべき電子カードを検索可能に構成される、
請求項４に記載の情報処理装置。
【請求項６】
前記カード配信部は、前記携帯端末の滞在エリアが変化した場合、変化前の滞在エリアに対応する階層の電子カード、変化後の滞在エリアに対応する階層の電子カード、変化後の滞在エリアに対応する階層の上位階層の電子カード、及び変化後の滞在エリアに対応する階層の下位階層の電子カードの少なくとも１つを前記携帯端末に配信可能に構成される、
請求項１〜請求項５の何れか１つに記載の情報処理装置。
【請求項７】
カード生成部を備え、
前記カード生成部は、階層、配信エリア及び電子カードの内容情報を対応付けたカード情報を生成可能に構成される、
請求項１〜請求項６の何れか１つに記載の情報処理装置。
【請求項８】
前記カード生成部は、前記携帯端末から入力された情報に基づいて、前記カード情報を生成可能に構成される、
請求項７に記載の情報処理装置。
【請求項９】
記憶部を備え、
前記記憶部は、テーブルを記憶し、
前記テーブルは、店舗毎に前記店舗を特定可能な情報と、前記店舗名の位置情報と、を対応付けて記憶しており、
前記カード生成部は、前記テーブルを参照して前記携帯端末から入力された情報に基づいて、前記カード情報を生成可能に構成される、
請求項７又は請求項８に記載の情報処理装置。
【請求項１０】
前記カード生成部は、前記滞在エリア推定部により推定された前記携帯端末の滞在エリア、又は前記携帯端末から受信した前記携帯端末の位置情報に基づいて、前記カード情報の配信エリアを生成可能に構成される、
請求項７〜請求項９の何れか１つに記載の情報処理装置。
【請求項１１】
携帯端末及び情報処理装置を備えるシステムであって、
前記携帯端末及び前記情報処理装置は、ネットワークを介して通信可能に構成され、
前記携帯端末は、位置情報取得部を備え、
前記情報処理装置は、滞在エリア推定部及びカード配信部を備え、
前記滞在エリア推定部は、前記位置情報取得部により取得された位置情報に基づいて、前記携帯端末の滞在エリアを推定可能に構成され、
前記カード配信部は、前記推定された前記滞在エリアに対応する電子カードを前記携帯端末に配信可能に構成され、
前記電子カードは、階層構造を有するカード情報から選択されるものであり、且つ、前記電子カード毎に階層及び配信エリアが対応付けられている、
システム。
【請求項１２】
コンピュータを、携帯端末とネットワークを介して通信可能に構成される情報処理装置として機能させるプログラムであって、
前記情報処理装置は、滞在エリア推定部及びカード配信部を備え、
前記滞在エリア推定部は、前記携帯端末の滞在エリアを推定可能に構成され、
前記カード配信部は、前記推定された前記滞在エリアに対応する電子カードを前記携帯端末に配信可能に構成され、
前記電子カードは、階層構造を有するカード情報から選択されるものであり、且つ、前記電子カード毎に階層及び配信エリアが対応付けられている、
プログラム。
【発明の詳細な説明】
【技術分野】
【０００１】
本発明は、情報処理装置、システム及びプログラムに関する。
【０００２】
特許文献１には、（１）検索条件設定表示画面６２によって、エリア、商品、価格等の入力を促すステップと、（２）検索条件を満たす商品をデータベース内から探し出すステップと、（３）検索結果表示画面６３によって、検索条件を満たす一又は二以上の商品の画像をユーザーに対して出力し、画像中からいずれかの商品の画像を選択することをユーザーに対して促すステップと、（４）ショップカード表示画面６４によって、ユーザーが選択した画像に関連づけられている商品の情報を、ユーザーに対して出力するステップとを少なくとも含む、広告情報供給方法が開示されている。
【先行技術文献】
【特許文献】
【０００３】
【特許文献１】特開２００２−２４２９０号公報
【発明の概要】
【発明が解決しようとする課題】
【０００４】
このように、カード表示画面によるエリア毎の情報提示は、ユーザーが求める情報を得るために有益である。しかし、特許文献１に開示されている方法では、ユーザーがあるエリアから他のエリアに移動する場合には、再度エリアを指定して検索する必要があり、手間である。
【０００５】
本発明は、かかる事情を鑑みてなされたものであり、ユーザーの滞在エリアに基づいて、適切な情報を提示可能な情報処理装置、システム及びプログラムを提供することを目的とする。
【課題を解決するための手段】
【０００６】
本発明によれば、携帯端末とネットワークを介して通信可能に構成される情報処理装置であって、滞在エリア推定部及びカード配信部を備え、前記滞在エリア推定部は、前記携帯端末の滞在エリアを推定可能に構成され、前記カード配信部は、前記推定された前記滞在エリアに対応する電子カードを前記携帯端末に配信可能に構成され、前記電子カードは、階層構造を有するカード情報から選択されるものであり、且つ、前記電子カード毎に階層及び配信エリアが対応付けられている、情報処理装置が提供される。
【０００７】
本発明では、ユーザーの滞在エリアに対応する電子カードを携帯端末に配信可能に構成される。ここで、電子カードは、階層構造を有する電子カード情報から選択されるものであり、且つ、電子カード毎に階層及び配信エリアが対応付けられている。このため、ユーザーの滞在エリアに対応した適切なカードを、階層を考慮して配信することが可能になる。
【図面の簡単な説明】
【０００８】
【図１】本発明の一実施形態に係るシステム１００の概略を示す図である。
【図２】記憶部２０に記憶されたカード情報の一例を表す図である。
【図３】記憶部２０に記憶されたテーブルの一例である。
【図４】図４Ａは、渋谷区に滞在するユーザーに対して配信するカードの階層を説明するための概念図である。図４Ｂは、新宿区に滞在するユーザーに対して配信するカードの階層を説明するための概念図である。
【図５】カード配信処理のフローチャートの一例である。
【図６】カード生成処理のフローチャートの一例である。
【発明を実施するための形態】
【０００９】
以下、図面を用いて本発明の実施形態について説明する。以下に示す実施形態中で示した各種特徴事項は、互いに組み合わせ可能である。
【００１０】
１．システム１００の概要
図１に示すように、本実施形態に係るシステム１００は、情報処理装置１及び携帯端末５を備える。情報処理装置１と携帯端末５は、ネットワークＮＴを介して通信可能に構成される。図１の例では、１つの携帯端末５しか図示していないが、複数の携帯端末５をネットワークＮＴを介して情報処理装置１と通信可能に構成してもよい。
【００１１】
２．情報処理装置１の構成
情報処理装置１は、制御部１０、記憶部２０及び通信部３０を備える。
【００１２】
（２−１）制御部１０
制御部１０は、記憶部２０に記憶されたプログラム（不図示）にしたがい、情報処理装置１を構成する種々の要素を制御するものである。また、本実施形態では、制御部１０は、カード生成部１１、カード配信部１２、カード検索部１３、滞在エリア推定部１４及び移動状態推定部１５を備える。
【００１３】
＜カード生成部１１＞
カード生成部１１は、電子カード及びカード情報を生成するものである。電子カードは、電子カードの内容を表す内容情報を含む。具体例には、内容情報は、滞在エリアに関する観光名所、店舗及びイベント等に関する情報を含むものである。かかる情報には、観光名所、店舗及びイベントの場所、経路、混雑時間、定休日又は休業日、開店時間／閉店時間、料金、評価又は口コミ等が含まれる。また、図２に示されるように、カード情報は、階層構造を有する情報であり、電子カードに関する情報をまとめた情報である。本実施形態では、カード情報は、電子カード毎に階層及び配信エリアが対応付けられている。換言すると、カード生成部１１は、階層、配信エリア及び電子カードの内容情報を対応付けたカード情報を生成可能に構成される。すなわち、電子カードは、階層構造を有するカード情報から選択されるものであり、且つ、電子カード毎に階層及び配信エリアが対応付けられている。また、本実施形態では、階層は、エリアの大きさに応じて決定された階層である。具体的には、図２に示されるように、階層１〜階層３の３階層を有し、エリアの大きさに応じた階層毎に電子カードを対応付けて記憶される。
【００１４】
例えば、階層１には「東京都」、階層２には「渋谷区」及び「新宿区」、階層３には各店舗の詳細に関する電子カードを対応付けて記憶することができる。図２の例では、階層、配信エリア、電子カードを特定するカードＩＤ、電子カードの名前を表すカード名、電子カードの属性及び電子カードの内容を対応付けて記憶している。また、図２の例では、階層１〜階層３に向かうにつれて、電子カードの配信エリアが小さくなるように構成されている。そして、電子カードの配信エリアに対応した内容が記載されている。
【００１５】
＜滞在エリア推定部１４＞
滞在エリア推定部１４は、携帯端末５の滞在エリアを推定可能に構成される。具体的には、滞在エリア推定部１４は、後述の位置情報取得部５６により取得された位置情報に基づいて、携帯端末５の滞在エリアを推定する。また、滞在エリア推定部１４は、携帯端末５が接続するＷｉ−Ｆｉ（登録商標）のＳＳＩＤを参照し、携帯端末５の滞在エリアを推定する。さらに、滞在エリア推定部１４は、携帯端末５から取得した関連情報に基づいて、携帯端末５の滞在エリアを推定可能に構成される。ここで、関連情報は、携帯端末５により生成される情報であり、交通情報、ＳＮＳ情報、検索情報、カレンダー情報の少なくとも１つを含む情報である。関連情報は、携帯端末５により特定のアプリケーションが実行されるか、検索エンジンを操作することにより生成される。例えば、２０１８年１０月５日の１０：００に渋谷駅に到着予定の電車を検索した場合、到着予定時刻、到着場所、交通手段が交通情報となる。また、ＳＮＳ情報は、携帯端末５のユーザーがＳＮＳ（ソーシャルネットワークシステム）に書き込んだ内容を分析することにより生成される。例えば、ＳＮＳへの書き込み内容を自然言語解析することにより、特定の日時に特定の場所（エリア）へ移動することを表すＳＮＳ情報が生成される。また、検索情報は、検索エンジンによる検索ワードに起因して生成されるものである。検索情報は、ＳＮＳ情報と同様に、自然言語解析により生成される。また、カレンダー情報は、ユーザーの予定を入力したカレンダーに基づいて生成される。例えば、携帯端末５にインストールされたカレンダーアプリや、ｗｅｂアプリ形式のカレンダーに入力された予定がカレンダー情報となる。
【００１６】
＜カード配信部１２＞
カード配信部１２は、滞在エリア推定部１４により推定された滞在エリアに対応する電子カードを携帯端末５に配信可能に構成される。また、カード配信部１２は、携帯端末５の滞在エリアが変化した場合に、変化後の滞在エリアに対応する電子カードを携帯端末５に配信可能に構成される。
【００１７】
＜移動状態推定部１５＞
移動状態推定部１５は、携帯端末５の位置情報の変化及び携帯端末５から取得した関連情報の少なくとも一方に基づいて、携帯端末５の移動状態を推定可能に構成される。
【００１８】
移動状態推定部１５は、携帯端末５の位置情報の変化及び携帯端末５から取得した関連情報の少なくとも一方に基づいて、携帯端末５の移動状態、例えば、徒歩、自転車、バイク、車、電車のいずれの交通手段により移動しているかを推定する。なお、関連情報を利用しない場合には、所定時間における位置情報の変化量を算出し、かかる変化量の大小を用いることで移動状態を推定することができる。
【００１９】
本実施形態では、カード配信部１２は、移動状態推定部１５により推定された移動状態に基づいて、電子カードを携帯端末５に配信可能に構成される。
【００２０】
＜カード検索部１３＞
カード検索部１３は、記憶部２０に記憶されたカード情報から、携帯端末５に配信すべき電子カードを検索するものである。本実施形態では、カード検索部１３は、移動状態推定部１５により推定された移動状態に基づいて、携帯端末５に配信すべき電子カードを検索可能に構成される。例えば、携帯端末５の現在の滞在位置が「渋谷区」であり、移動状態が「徒歩」である場合、渋谷区に関する階層２の電子カード又は階層３の電子カードを検索し、携帯端末５への配信対象とすることができる。一方、携帯端末５の滞在位置が「渋谷区」であり、移動状態が「電車」である場合、渋谷区に関する階層２の電子カード又は階層３の電子カードに加え、新宿区に関する階層２の電子カード又は階層３の電子カード及び東京都に関する階層１の電子カードを検索し、携帯端末５への配信対象とすることができる。これは、携帯端末５のユーザーが電車で移動することにより、現在の渋谷区から新宿区へ移動することが予想されるので、移動先のエリアである新宿区に関する情報に加え、新宿区以外へさらに移動することを見越して、東京都に関する情報を配信することがユーザーにとって便利であるためである。
【００２１】
（２−２）記憶部２０
記憶部２０は、種々のプログラム及びデータを記憶するものであり、例えばメモリ、ハードディスク、ＳＳＤ等により構成される。本実施形態では、記憶部２０は、カード情報、階層情報及びテーブルを記憶する。階層情報は、図２に示されるカード情報の階層構造を表す情報である。また、テーブルは、図３に示されるように、店舗毎に前記店舗を特定可能な情報と、前記店舗名の位置情報と、を対応付けたものである。本実施形態では、テーブルは、店舗ＩＤ、店舗名、店舗の位置情報、店舗内で利用されるＷｉ−Ｆｉ（登録商標）のＳＳＩＤを対応つけて記憶している。ここで、図１の例では、記憶部２０が情報処理装置１に設けられる構成としているが、記憶部２０を情報処理装置１の外部に設け、必要に応じて情報処理装置１が記憶部２０にアクセスする、いわゆるクラウドコンピューティングの形態としてもよい。
【００２２】
（２−３）通信部３０
通信部３０は、情報処理装置１を構成する他の構成要素、携帯端末５の通信部５１又は他の情報処理装置と有線又は無線によりデータ通信可能に構成される。
【００２３】
３．携帯端末５の構成
携帯端末５は、通信部５１、記憶部５２、制御部５３、表示部５４、入力部５５及び位置情報取得部５６を備える。
＜通信部５１＞
通信部５１は、通信部３０と同様の機能を備え、携帯端末５を構成する他の構成要素、情報処理装置１の通信部３０又は他の情報処理装置と有線又は無線によりデータ通信可能に構成される。
【００２４】
＜記憶部５２＞
記憶部５２は、記憶部２０と同様の機能を備え、種々のプログラム及びデータを記憶するものであり、例えばメモリ、ハードディスク、ＳＳＤ等により構成される。ここで、図１の例では、記憶部５２が携帯端末５に設けられる構成としているが、記憶部５２を携帯端末５の外部に設け、必要に応じて携帯端末５が記憶部５２にアクセスする、いわゆるクラウドコンピューティングの形態としてもよい。
【００２５】
＜制御部５３＞
制御部５３は、制御部１０と同様の機能を備え、記憶部５２に記憶されたプログラム（不図示）にしたがい、携帯端末５を構成する種々の要素を制御するものである。
【００２６】
＜表示部５４＞
表示部５４は、種々の画像及び動画を表示するものである。本実施形態では、表示部５４は、情報処理装置１のカード生成部１１により生成された電子カードを表示するのに利用される。
【００２７】
＜入力部５５＞
入力部５５は、携帯端末５のユーザーが電子カードの内容を入力可能に構成される。入力部５５は、例えば、タッチパネル、キーボード、音声入力装置等により構成される。本実施形態では、電子カードの内容は、情報処理装置１側で入力されることに加え、１又は複数のユーザーにより入力されることが特徴の一つである。入力部５５により入力された情報は、通信部５１を介して通信部３０に送信される。そして、カード生成部１１は、携帯端末５の入力部５５から入力された情報に基づいて、カード情報を生成可能に構成される。また、カード生成部１１は、テーブルを参照して携帯端末５から入力された情報に基づいて、カード情報を生成可能に構成してもよい。
【００２８】
＜位置情報取得部５６＞
位置情報取得部５６は、携帯端末５の位置情報を取得可能に構成される。具体的には、位置情報取得部５６は、ＧＰＳにより、携帯端末５が存在する現在の位置情報を取得するものである。位置情報には、緯度及び経度が含まれる。また、位置情報には、携帯端末５が通信する基地局に関する情報や、携帯端末５が接続しているＷｉ−ＦｉのＳＳＩＤに加え、Ｂｌｕｅｔｏｏｔｈ（登録商標）等の近距離無線通信により特定されるエリア情報が含まれることが好ましい。
【００２９】
情報処理装置１及び携帯端末５の各構成要素は、ソフトウェアによって実現してもよく、ハードウェアによって実現してもよい。ソフトウェアによって実現する場合、ＣＰＵがプログラムを実行することによって各種機能を実現することができる。プログラムは、内蔵の記憶部に格納してもよく、コンピュータ読み取り可能な非一時的な記録媒体に格納してもよい。また、外部の記憶部に格納されたプログラムを読み出し、いわゆるクラウドコンピューティングにより実現してもよい。ハードウェアによって実現する場合、ＡＳＩＣ、ＦＰＧＡ、又はＤＲＰなどの種々の回路によって実現することができる。本実施形態においては、様々な情報やこれを包含する概念を取り扱うが、これらは、０又は１で構成される２進数のビット集合体として信号値の高低によって表され、上記のソフトウェア又はハードウェアの態様によって通信や演算が実行され得るものである。
【００３０】
４．携帯端末５の滞在エリアに基づく電子カードの配信
本実施形態では、滞在エリアは複数の階層に分類されており、図４Ａの例では、上位階層から順に、東京都（階層１）、渋谷区（階層２）、各店舗等（階層３）が設定されている。図４Ａの例では、ユーザーによる携帯端末５の操作又は情報処理装置１からのプッシュ通知により、カード配信部１２から携帯端末５に対して渋谷区内に存在する各店舗等に関する電子カードが配信される。具体的には、図２に示されるように、階層３に対応するカードＩＤが０００３〜０００７で特定される電子カードが携帯端末５の表示部５４に表示される。これにより、携帯端末５のユーザーは、現在の滞在エリア内に存在する個別の店舗やイベント等に関する情報を効率的に取得することが可能になる。
【００３１】
また、ユーザーは、携帯端末５を操作することにより、別階層の電子カードの配信を情報処理装置１に要求することもできる。例えば、現在は渋谷区内のカフェに滞在しているが、この後新宿区に移動予定の場合には、新宿区（階層２）に関する電子カードの配信を情報処理装置１に要求してもよい。図２の例では、カードＩＤが０００８〜００１０で特定される電子カードが携帯端末５の表示部５４に表示される。これにより、新宿区（階層２）に関する情報をまとめて確認したり、新宿区（階層２）内に存在する各店舗等（階層３）に関する個別の情報を効率的に取得することが可能になる。
【００３２】
さらに、新宿区の後に別の区に移動する場合や、そもそも今からどこへ向かうか検討中である場合には、最上位階層である東京都（階層１）に関する電子カードの配信を情報処理装置１に要求してもよい。
【００３３】
ここで、各店舗等が自ら電子カードを生成していない場合、すなわち特定の店舗に関する電子カードが存在していない場合でも、ユーザーがその店舗を気に入った場合には、ユーザーが携帯端末５の入力部５５を操作することにより、特定の店舗の電子カードを生成することができる。具体的には、カード生成部１１は、ユーザーの携帯端末５から入力された情報に基づいて、カード情報を生成することができる。ここで、テーブルを利用する場合には、ユーザーは携帯端末５を操作して情報処理装置１にアクセスし、記憶部２０に記憶されたテーブルを参照することにより、かかる情報入力を簡単にすることが可能になる。ここで、テーブルを利用するたびに携帯端末５から情報処理装置１にアクセスしてもよく、予めテーブルを携帯端末５にダウンロードしていてもよい。
【００３４】
また、携帯端末５から情報処理装置１に対して、電子カードの内容を表す情報とともに、携帯端末５の位置情報が送信されてもよい。そして、滞在エリア推定部１４は、かかる位置情報に基づいて、携帯端末５の滞在エリアを推定する。さらに、カード生成部１１は、滞在エリア推定部１４により推定された携帯端末５の滞在エリア（例：位置情報がリアルタイムで取得されず、過去の位置情報や関連情報から滞在エリアを推定する場合）、又は携帯端末５から受信した携帯端末５の位置情報（例：位置情報がリアルタイムで取得された場合）に基づいて、カード情報の配信エリアを生成可能に構成される。
【００３５】
そして、図４Ａの状態からユーザーが移動し、図４Ｂに示される新宿区に移動したとする。このとき、カード配信部１２は、携帯端末５の滞在エリアが変化した場合、変化前の滞在エリアに対応する階層の電子カード、変化後の滞在エリアに対応する階層の電子カード、変化後の滞在エリアに対応する階層の上位階層の電子カード、及び変化後の滞在エリアに対応する階層の下位階層の電子カードの少なくとも１つを携帯端末５に配信可能に構成される。
【００３６】
具体的には、カード配信部１２は、図４Ｂの状態において、変化前の滞在エリア（渋谷区）に対応する階層（階層２）の電子カード、変化後の滞在エリア（新宿区）に対応する階層（階層２）の電子カード、変化後の滞在エリア（新宿区）に対応する階層（階層２）の上位階層（東京都：階層１）の電子カード、及び変化後の滞在エリア（新宿区）に対応する階層（階層２）の下位階層（新宿区内の各店舗等：階層３）の電子カードの少なくとも１つを、携帯端末５に配信する。ここで、いずれの階層に対応する電子カードを配信するかについては、ユーザーによる特定階層の配信要求に加え、滞在エリア推定部１４により推定された滞在エリアに対応する電子カードを情報処理装置１からプッシュ配信する際に決定することも可能である。
【００３７】
また、ユーザーからの配信要求において、配信される電子カードのカテゴリーを指定可能に構成してもよい。例えば、渋谷区に滞在する携帯端末５のユーザーが、「渋谷区」の「パン屋」と指定することにより、渋谷区内のパン屋に対応する電子カード（階層３）をまとめて配信するように構成してもよい。これにより、所定エリア内における特定カテゴリーの電子カードをまとめて取得することができ、ユーザーの利便性が向上する。
【００３８】
また、ユーザーによる配信要求がされた場合には、位置情報取得部５６により取得された現在位置から所定の範囲（例：半径３００ｍの円）内に位置する店舗等に関する電子カードを配信する構成とすることもできる。さらに、位置情報取得部５６により取得された現在位置から所要時間内に到達可能な範囲（例：徒歩で１５分）内に位置する店舗等に関する電子カードを配信する構成とすることもできる。ここで、これらの配信は、情報処理装置１からのプッシュ配信であってもよい。
【００３９】
５．カード配信処理のフローチャート
次に、図５を用いて、カード配信部１２によるカード配信処理のフローチャートについて説明する。
【００４０】
（Ｓ１）
まず、Ｓ１において、通信部３０が携帯端末５の位置情報を取得する。かかる位置情報には、ＳＳＩＤ及びＧＰＳから取得される情報が含まれることが好ましい。また、携帯端末５の位置情報は、位置情報取得部５６による取得され、通信部５１を介して通信部３０に送信される。
【００４１】
（Ｓ２）
次に、Ｓ２において、滞在エリア推定部１４により、携帯端末５の現在の滞在エリアが推定される。このとき、位置情報を考慮することが好ましいが、位置情報が取得できなかった場合には、関連情報から携帯端末５の滞在エリアを推定してもよい。
【００４２】
（Ｓ３）
次に、Ｓ３において、カード検索部１３により、携帯端末５の現在の滞在エリアに対応する階層のカードが検索される。例えば、図４Ａに示されるように、携帯端末５が渋谷区に滞在する場合には、階層３の電子カード（カードＩＤ０００３〜０００７）が検索される。さらに、カード検索部１３は、移動状態推定部１５により推定された移動状態に基づいて、携帯端末５携帯端末に配信すべき電子カードを検索することができる。
【００４３】
（Ｓ４）
次に、Ｓ４において、カード配信部１２により、Ｓ４で検索された電子カードが携帯端末５に配信される。このとき、移動状態推定部１５により推定された移動状態に基づいて、電子カードを配信してもよい。例えば、現在は渋谷区に滞在しているが、電車で新宿区に向かっていると推定された場合には、渋谷区に対応する階層の電子カードと別に、新宿区に対応する階層（階層２）の電子カード又は東京都に対応する階層（階層１）の電子カードを携帯端末５に配信してもよい。これにより、移動後における滞在エリアに対応する電子カードを適切なタイミングで携帯端末５のユーザーに届けることが可能になる。
【００４４】
（Ｓ５）
次に、Ｓ５において、滞在エリア推定部１４により、携帯端末５の滞在エリアが変化したか否かが推定される。
【００４５】
（Ｓ６）
そして、携帯端末５の滞在エリアが変化していないと推定された場合、Ｓ６に進み、カード配信部１２により、引き続き現在の滞在エリアに対応する電子カードが携帯端末５に配信される。このとき、Ｓ４で配信されていない電子カードがある場合には、その電子カードを配信するようにしてもよい。
【００４６】
（Ｓ７）
一方、Ｓ５において、携帯端末５の滞在エリアが変化していると推定された場合、Ｓ７に進み、カード配信部１２により、変化後の滞在エリアに対応する電子カードが携帯端末５に配信される。
【００４７】
以上説明した処理により、携帯端末５の滞在エリアに対応する階層の電子カードを効率的に配信することができる。さらに、各処理の途中において、ユーザーからの配信要求があった場合には、その都度電子カードを配信することができる。
【００４８】
また、カード配信処理は、以下の態様でも実施可能である。
・ユーザーの過去の履歴に基づいて、ユーザーの利用頻度が高い店舗に関するカードのみを配信する。
・店舗のシステムと連動することで、店舗の現在の待ち時間を情報処理装置１が取得し、所定時間（例：１０分）以内の待ち時間である店舗に関するカードのみを配信する。これにより、例えば昼休みのランチを並ばずに楽しむことが可能になる。
・ユーザーの現在位置から所定範囲（例：５００ｍｍ）内の店舗に関するカードのみを配信する。これにより、近隣の店舗を効率よく見つけることができる。
・店舗の予約を実行する予約ボタンを携帯端末５に表示させ、ユーザーが予約ボタンを押すことにより、所望の店舗を予約することができる。このとき、所定時間が経過してもユーザーが予約した店舗に現れない場合には、当該ユーザーの予約をキャンセルしてもよい。これにより、店舗の予約を簡単にできるとともに、店舗からしても不要なキャンセルを抑制することが可能になる。
【００４９】
６．カード生成処理のフローチャート
次に、図６を用いて、携帯端末５のユーザーにより入力されたカード情報に基づいた、カード生成部１１によるカード生成処理のフローチャートについて説明する。
【００５０】
（Ｓ１１）
まず、Ｓ１１において、通信部３０が携帯端末５の位置情報を取得する。かかる位置情報には、ＳＳＩＤ及びＧＰＳから取得される情報が含まれることが好ましい。また、携帯端末５の位置情報は、位置情報取得部５６による取得され、通信部５１を介して通信部３０に送信される。
【００５１】
（Ｓ１２）
次に、Ｓ１２において、滞在エリア推定部１４により、携帯端末５の現在の滞在エリアが推定される。このとき、位置情報を考慮することが好ましいが、位置情報が取得できなかった場合には、関連情報から携帯端末５の滞在エリアを推定してもよい。
【００５２】
（Ｓ１３）
次に、Ｓ１３において、通信部３０により、携帯端末５の入力部５５から入力された電子カードの内容を表すカード情報が受信される。
【００５３】
（Ｓ１４）
次に、Ｓ１４において、制御部１０により、携帯端末５の滞在エリアとカード情報の対応付けがなされる。かかる滞在エリアが、電子カードの配信エリアとなる。また、携帯端末５の入力部５５により配信エリアをユーザーが設定することもできる。
【００５４】
これにより、携帯端末５の現在の滞在エリアに対応した階層の電子カードをユーザー自身で作成することができ、店舗等で電子カードを生成していない場合でも、ユーザー自身で様々な情報を公開することができる。
【００５５】
（Ｓ１５）
次に、Ｓ１５において、制御部１０により、カード情報を受信した携帯端末５によるカード情報の入力回数が計測される。かかる入力回数は、例えば、所定期間内におけるカード情報の入力回数、すなわち、所定期間内において当該ユーザーが何枚の電子カードを生成したかを表す。
【００５６】
（Ｓ１６）
そして、Ｓ１６において、情報処理装置１は、カード情報の入力回数に応じて、各種クーポンを携帯端末５に配信する。例えば、所定期間内におけるカード情報の入力回数が多い場合には、割引率の高いクーポンを配信するようにしてもよい。ここで、かかるクーポンは、システム１００を利用して電子カードを配信している店舗等と協力し、特定の店舗でのみ使用できるクーポンや、サービス加盟店で共通使用できるクーポンを準備してもよい。
【００５７】
＜その他＞
【００５８】
本発明に係るシステム１００は、以下の態様でも実施可能である。
【００５９】
携帯端末及び情報処理装置を備えるシステムであって、
前記携帯端末及び前記情報処理装置は、ネットワークを介して通信可能に構成され、
前記携帯端末は、位置情報取得部を備え、
前記情報処理装置は、滞在エリア推定部及びカード配信部を備え、
前記滞在エリア推定部は、前記位置情報取得部により取得された位置情報に基づいて、前記携帯端末の滞在エリアを推定可能に構成され、
前記カード配信部は、前記推定された前記滞在エリアに対応する電子カードを前記携帯端末に配信可能に構成され、
前記電子カードは、階層構造を有するカード情報から選択されるものであり、且つ、前記電子カード毎に階層及び配信エリアが対応付けられている、
システム。
【００６０】
コンピュータを、携帯端末とネットワークを介して通信可能に構成される情報処理装置として機能させるプログラムであって、
前記情報処理装置は、滞在エリア推定部及びカード配信部を備え、
前記滞在エリア推定部は、前記携帯端末の滞在エリアを推定可能に構成され、
前記カード配信部は、前記推定された前記滞在エリアに対応する電子カードを前記携帯端末に配信可能に構成され、
前記電子カードは、階層構造を有するカード情報から選択されるものであり、且つ、前記電子カード毎に階層及び配信エリアが対応付けられている、
プログラム。
【００６１】
また、上述のプログラムを格納する、コンピュータ読み取り可能な非一時的な記録媒体として提供してもよい。
【符号の説明】
【００６２】
１      ：情報処理装置
１０    ：制御部
１１    ：カード生成部
１２    ：カード配信部
１３    ：カード検索部
１４    ：滞在エリア推定部
１５    ：移動状態推定部
２０    ：記憶部
３０    ：通信部
５      ：携帯端末
５１    ：通信部
５２    ：記憶部
５３    ：制御部
５４    ：表示部
５５    ：入力部
５６    ：位置情報取得部
１００  ：システム
ＮＴ    ：ネットワーク
【図１】
2020071618.tif 000003
【図２】
2020071618.tif 000004
【図３】
2020071618.tif 000005
【図４】
2020071618.tif 000006
【図５】
2020071618.tif 000007
【図６】
2020071618.tif 000008